(57)【要約】【課題】画像データをウェブサイトに投稿した場合、他のユーザから関心を引きつけることができる携帯機器、サーバ、画像生成方法およびプログラムを提供する。【解決手段】被写体を撮像して該被写体の画像データを生成し、画像データを含む画像ファイルデータを、ネットワークＮを介して外部機器３００または投稿サーバ２００に送信可能な撮像装置１００において画像データに対応する画像の画像サイズを縮小したサムネイル画像であって、撮像装置１００の操作結果に応じて画像データが有する複数の画像パラメータの少なくとも１つを強調したサムネイル画像に対応するサムネイル画像データを生成するサムネイル画像生成部１１０ａを備える。【選択図】図１
2014131238.tif 000002
【特許請求の範囲】
【請求項１】
被写体を撮像して該被写体の画像データを生成し、該画像データを含む画像ファイルデータを、ネットワークを介して複数の外部機器または該複数の外部機器にそれぞれ共有させるサーバに送信可能な携帯機器において、
前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成部を備えたことを特徴とする携帯機器。
【請求項２】
前記サムネイル画像生成部は、
前記画像ファイルデータを送信する送信先に応じて、強調する前記複数の画像パラメータの中で重みを変えた前記サムネイル画像データを生成することを特徴とする請求項１に記載の携帯機器。
【請求項３】
前記サムネイル画像生成部は、
前記サーバを介して前記複数の外部機器のうち前記画像ファイルデータを取得可能な外部機器の設定条件に応じて、強調する前記複数の画像パラメータの中で重みを変えた前記サムネイル画像データを生成することを特徴とする請求項１または２に記載の携帯機器。
【請求項４】
前記サムネイル画像生成部は、
当該携帯機器が前記画像データファイルを前記複数の外部機器または前記サーバに送信するとき、前記サムネイル画像データを生成することを特徴とする請求項１〜３のいずれか一つに記載の携帯機器。
【請求項５】
前記画像データに対して、複数の画像処理を組み合わせることによって視覚的な効果を生じさせる特殊効果処理を施す画像処理部をさらに備え、
前記サムネイル画像生成部は、
前記画像処理部が前記画像データに前記特殊効果処理を施している場合、前記サムネイル画像データを生成することを特徴とする請求項１〜４のいずれか一つに記載の携帯機器。
【請求項６】
前記画像処理部に前記特殊効果処理の強度を変更する指示信号の入力を受け付ける入力部をさらに備え、
前記サムネイル画像生成部は、
前記入力部が入力を受け付けた指示信号の強度より前記複数の画像パラメータのいずれか１つの値を大きくして前記サムネイル画像データを生成することを特徴とする請求項５に記載の携帯機器。
【請求項７】
前記特殊効果処理は、ソフトフォーカス処理、シェーディング処理、ノイズパターン重畳処理、ホワイトエッジ処理、クロスフィルター処理および彩度強調処理のいずれか１つ以上を含み、
前記複数の画像パラメータは、前記画像処理部が前記画像データに施す前記特殊効果処理の強度であることを特徴とする請求項５または６に記載の携帯機器。
【請求項８】
ネットワークを介して画像データを含む画像ファイルデータを携帯機器から受信して記録するとともに、複数の外部機器からのアクセスに応じて前記画像ファイルデータを送信可能なサーバにおいて、
前記画像データに対応する画像の画像サイズを縮小したサムネイル画像であって、前記携帯機器の操作結果に応じて前記画像データが有する複数の画像パラメータの少なくとも１つを強調したサムネイル画像に対応するサムネイル画像データを生成するサムネイル画像生成部を備えたことを特徴とするサーバ。
【請求項９】
被写体を撮像して該被写体の画像データを生成し、該画像データを含む画像ファイルデータを、ネットワークを介して複数の外部機器または該複数の外部機器にそれぞれ共有させるサーバに送信可能な携帯機器が実行する画像生成方法であって、
前記外部機器が前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成ステップを含むことを特徴とする画像生成方法。
【請求項１０】
被写体を撮像して該被写体の画像データを生成し、該画像データを含む画像ファイルデータを、ネットワークを介して複数の外部機器または該複数の外部機器にそれぞれ共有させるサーバに送信可能な携帯機器が実行するに実行させるプログラムであって、
前記外部機器が前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成ステップを含むことを特徴とするプログラム。
【発明の詳細な説明】
【技術分野】
【０００１】
本発明は、被写体を撮像して該被写体の画像データを生成する携帯装置、外部機器から送信された画像ファイルデータを管理するサーバ、携帯機器が実行する画像生成方法および携帯機器に実行させるプログラムに関する。
【背景技術】
【０００２】
従来、デジタルカメラ等の撮像装置において、記録媒体に記録された大量の画像データから所望の画像データを検索する技術が知られている（特許文献１参照）。この技術では、表示モニタで表示された画像と類似する画像データを記録媒体から検索して表示モニタに順次表示させる。
【０００３】
ところで、近年、ＳＮＳ（Social  Networking  Service）や画像投稿サイトを利用することによって、多くの人と交流する人が増えている。たとえば、ＳＮＳを提供するサーバは、ユーザによりフォローされたアカウントからの投稿情報を、サーバによって提供される他のユーザのウェブサイト（ホームページ）に表示する。即ち、ユーザは、他人のアカウントをフォローすることで、フォローしたアカウントにより公開された投稿情報を自身のウェブサイトに表示させる。このようなＳＮＳの投稿情報を表示する方法として、ユーザによってフォローされたアカウントの投稿情報を時系列に沿って順次表示するタイムライン表示が知られている。
【先行技術文献】
【特許文献】
【０００４】
【特許文献１】特開２００９−１１８０４０号公報
【発明の概要】
【発明が解決しようとする課題】
【０００５】
ところで、上述した従来技術では、ユーザによりフォローされたアカウントで画像データが投稿された場合、ＳＮＳサーバは、投稿された画像データの画像サイズおよび表示領域を縮小したサムネイル画像をウェブサイトにタイムライン表示させる。このため、ユーザが趣向を凝らして撮像した画像データであっても、他のサムネイル画像に埋もれてしまい、他のユーザから関心を引きつけることが難しかった。
【０００６】
本発明は、上記に鑑みてなされたものであって、画像データをウェブサイトに投稿した場合、他のユーザから関心を引きつけることができる携帯機器、サーバ、画像生成方法およびプログラムを提供することを目的とする。
【課題を解決するための手段】
【０００７】
上述した課題を解決し、目的を達成するために、本発明にかかる携帯機器は、被写体を撮像して該被写体の画像データを生成し、該画像データを含む画像ファイルデータを、ネットワークを介して複数の外部機器または該複数の外部機器にそれぞれ共有させるサーバに送信可能な携帯機器において、前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成部を備えたことを特徴とする。
【０００８】
また、本発明にかかる携帯機器は、上記発明において、前記サムネイル画像生成部は、前記画像ファイルデータを送信する送信先に応じて、強調する前記複数の画像パラメータの中で重みを変えた前記サムネイル画像データを生成することを特徴とする。
【０００９】
また、本発明にかかる携帯機器は、上記発明において、前記サムネイル画像生成部は、前記サーバを介して前記複数の外部機器のうち前記画像ファイルデータを取得可能な外部機器の設定条件に応じて、強調する前記複数の画像パラメータの中で重みを変えた前記サムネイル画像データを生成することを特徴とする。
【００１０】
また、本発明にかかる携帯機器は、上記発明において、前記サムネイル画像生成部は、当該携帯機器が前記画像データファイルを前記複数の外部機器または前記サーバに送信するとき、前記サムネイル画像データを生成することを特徴とする。
【００１１】
また、本発明にかかる携帯機器は、上記発明において、前記画像データに対して、複数の画像処理を組み合わせることによって視覚的な効果を生じさせる特殊効果処理を施す画像処理部をさらに備え、前記サムネイル画像生成部は、前記画像処理部が前記画像データに前記特殊効果処理を施している場合、前記サムネイル画像データを生成することを特徴とする。
【００１２】
また、本発明にかかる携帯機器は、上記発明において、前記画像処理部に前記特殊効果処理の強度を変更する指示信号の入力を受け付ける入力部をさらに備え、前記サムネイル画像生成部は、前記入力部が入力を受け付けた指示信号の強度より前記複数の画像パラメータのいずれか１つの値を大きくして前記サムネイル画像データを生成することを特徴とする。
【００１３】
また、本発明にかかる携帯機器は、上記発明において、前記特殊効果処理は、ソフトフォーカス処理、シェーディング処理、ノイズパターン重畳処理、ホワイトエッジ処理、クロスフィルター処理および彩度強調処理のいずれか１つ以上を含み、前記複数の画像パラメータは、前記画像処理部が前記画像データに施す前記特殊効果処理の強度であることを特徴とする。
【００１４】
また、本発明にかかるサーバは、ネットワークを介して画像データを含む画像ファイルデータを携帯機器から受信して記録するとともに、複数の外部機器からのアクセスに応じて前記画像ファイルデータを送信可能なサーバにおいて、前記画像データに対応する画像の画像サイズを縮小したサムネイル画像であって、前記携帯機器の操作結果に応じて前記画像データが有する複数の画像パラメータの少なくとも１つを強調したサムネイル画像に対応するサムネイル画像データを生成するサムネイル画像生成部を備えたことを特徴とする。
【００１５】
また、本発明にかかる画像生成方法は、被写体を撮像して該被写体の画像データを生成し、該画像データを含む画像ファイルデータを、ネットワークを介して複数の外部機器または該複数の外部機器にそれぞれ共有させるサーバに送信可能な携帯機器が実行する画像生成方法であって、前記外部機器が前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成ステップを含むことを特徴とする。
【００１６】
また、本発明にかかるプログラムは、被写体を撮像して該被写体の画像データを生成し、該画像データを含む画像ファイルデータを、ネットワークを介して複数の外部機器または該複数の外部機器にそれぞれ共有させるサーバに送信可能な携帯機器が実行するに実行させるプログラムであって、前記外部機器が前記画像データに対応する画像の画像サイズを縮小したサムネイル画像であって、当該携帯機器の操作結果に応じて前記画像データが有する複数の画像パラメータの少なくとも１つを強調したサムネイル画像に対応するサムネイル画像データを生成するサムネイル画像生成ステップを含むことを特徴とする。
【発明の効果】
【００１７】
本発明によれば、サムネイル画像生成部が外部機器によって表示されるサムネイル画像であって、携帯機器の操作結果に応じて画像データが有する複数の画像パラメータの少なくとも１つを強調したサムネイル画像に対応するサムネイル画像データを生成するので、画像データをウェブサイトに投稿した場合、他のユーザから関心を引きつけることができるという効果を奏する。
【図面の簡単な説明】
【００１８】
【図１】図１は、本発明の実施の形態１にかかる投稿システムの構成を模式的に示すブロック図である。
【図２】図２は、本発明の実施の形態１にかかる撮像装置の特殊効果処理が行う特殊効果処理の概要を示す図である。
【図３】図３は、本発明の実施の形態１にかかる撮像装置の画像データ記録部が記録する画像ファイルデータの構成の一例を示す図である。
【図４】図４は、本発明の実施の形態１にかかる撮像装置が実行する処理の概要を示すフローチャートである。
【図５】図５は、本発明の実施の形態１にかかる撮像装置を用いてユーザが被写体を撮影する状況を示す図である。
【図６】図６は、本発明の実施の形態１にかかる撮像装置の表示部が表示する画像の一例を示す図である。
【図７】図７は、本発明の実施の形態１にかかる撮像装置の表示部が表示する画像の一例を示す図である。
【図８】図８は、本発明の実施の形態１にかかる撮像装置のサムネイル画像生成部が生成するサムネイル画像データの一例を示す図である。
【図９】図９は、本発明の実施の形態１にかかる撮像装置のサムネイル画像生成部が生成するサムネイル画像データの一例を示す図である。
【図１０】図１０は、本発明の実施の形態１にかかる撮像装置のサムネイル画像生成部が生成するサムネイル画像データの一例を示す図である。
【図１１】図１１は、本発明の実施の形態１にかかる撮像装置を用いてユーザが被写体に画像ファイルデータを送信する際の状況を示す図である。
【図１２】図１２は、本発明の実施の形態１にかかる撮像装置の表示部が表示する画像の一例を示す図である。
【図１３】図１３は、本発明の実施の形態１にかかる撮像装置の表示部が表示する画像の一例を示す図である。
【図１４】図１４は、図４のネットワーク共有処理の概要を示すフローチャートである。
【図１５】図１５は、本発明の実施の形態１にかかる投稿サーバが実行する処理の概要を示すフローチャートである。
【図１６】図１６は、従来の外部機器で表示されるサムネイル画像群の一例を示す図である。
【図１７】図１７は、本発明の実施の形態１にかかる外部機器で表示されるサムネイル画像群の一例を示す図である。
【図１８】図１８は、本発明の実施の形態１にかかる外部機器で表示される画像の一例を示す図である。
【図１９】図１９は、本発明の実施の形態２にかかるネットワーク共有処理の概要を示すフローチャートである。
【図２０】図２０は、本発明の実施の形態３にかかる投稿システムの概要を模式的に示すブロック図である。
【図２１】図２１は、本発明の実施の形態３にかかる投稿サーバが実行する処理の概要を示すフローチャートである。
【発明を実施するための形態】
【００１９】
以下、本発明の実施の形態（以下、「実施の形態」という）について説明する。なお、以下の形態により本発明が限定されるものではない。また、以下において、同一の構成には同一の符号を付して説明する。さらに、以下の説明では、携帯機器の例として投稿サーバに画像データを送信可能な撮像装置を説明する。
【００２０】
（実施の形態１）
図１は、本発明の実施の形態１にかかる投稿システムの構成を模式的に示すブロック図である。図１に示す投稿システム１は、被写体を撮像し、この被写体の画像データを生成する携帯機器としての撮像装置１００と、ネットワークＮを介して撮像装置１００から送信された画像ファイルデータを所定の無線通信規格で受信するとともに、他の携帯機器等の外部機器３００，４００，５００からのアクセスに応じて画像データやコンテンツデータ等の投稿情報を送信する投稿サーバ２００と、を備える。ここで、所定の無線通信規格は、ＩＥＥＥ８０２．１１ｂ、ＩＥＥＥ８０２．１１ｎ、Ｂｌｕｅｔｏｏｔｈ（登録商標）および赤外線通信規格等である。なお、本実施の形態１では、いずれの無線通信規格であっても適用可能である。また、以下においては、外部機器３００，４００，５００のいずれかを示す場合、外部機器３００として説明する。
【００２１】
まず、撮像装置１００について説明する。撮像装置１００は、撮像部１０１と、画像処理部１０２と、入力部１０３と、表示部１０４と、タッチパネル１０５と、時計１０６と、画像圧縮展開部１０７と、記録部１０８と、通信部１０９と、制御部１１０と、を備える。
【００２２】
撮像部１０１は、制御部１１０の制御のもと、被写体を撮像して被写体の画像データを生成する。撮像部１０１は、複数のレンズ、絞りおよびシャッタによって構成され、所定の視野領域からの光を集光する光学系１０１ａと、光学系１０１ａが集光した光を受光して電気信号に変換するＣＣＤ（Charge  Coupled  Device）またはＣＭＯＳ（Complementary  Metal  Oxide  Semiconductor）等の撮像素子１０１ｂと、撮像素子１０１ｂから出力されるアナログ信号に対してノイズ低減処理やゲインアップ処理等のアナログ処理を施してＡ／Ｄ変換を行って制御部１１０に出力する信号処理部１０１ｃと、を有する。
【００２３】
光学系１０１ａは、焦点距離を変更可能なズーム機能と、焦点を調整するフォーカス機能と、を有する。光学系１０１ａは、制御部１１０から入力される指示信号に応じて、焦点距離の変更、焦点の調整、絞り値の変更およびシャッタースピードの設定を行う。
【００２４】
撮像素子１０１ｂは、制御部１１０から入力される指示信号に応じて、所定のフレームレート、たとえば３０ｆｐｓや６０ｆｐｓで画像データを順次生成する。
【００２５】
画像処理部１０２は、撮像部１０１が生成した画像データまたは記録部１０８が記録する画像データ（ＲＡＷデータ）を取得し、取得した画像データに対して各種の画像処理を施した画像データ（処理画像データ）を生成する。この画像データは、制御部１１０を介して記録部１０８に出力される。画像処理部１０２は、画像エンジンを用いて構成される。ここで、画像処理部１０２の詳細な構成について説明する。画像処理部１０２は、基本画像処理部１０２ａと、特殊効果画像処理部１０２ｂと、を有する。
【００２６】
基本画像処理部１０２ａは、画像データに対して、少なくとも、オプティカルブラック減算処理、ホワイトバランス（ＷＢ）調整処理、カラーマトリクス演算処理、ガンマ補正処理、色再現処理およびエッジ強調処理等を含む基本の画像処理および撮像素子１０１ｂがベイヤー配列の場合には画像データの同時化処理を行う。また、基本画像処理部１０２ａは、予め設定された各画像処理のパラメータに基づいて、自然な画像を再現する仕上がり効果処理を行って仕上がり効果画像データを生成する。ここで、各画像処理のパラメータとは、コントラスト、シャープネス、彩度、ホワイトバランスおよび階調の値である。
【００２７】
特殊効果画像処理部１０２ｂは、１つの画像データに対して複数の画像処理を組み合わせることにより、視覚的な効果を生じさせる特殊効果を行って特殊効果画像データ（以下、「アート効果画像データ」という）を生成する。なお、特殊効果画像処理部１０２ｂは、１つの画像データに対して組み合わせる画像処理の数や種類に応じて、特殊効果の処理速度が異なる。
【００２８】
図２は、特殊効果画像処理部１０２ｂが行う特殊効果処理の概要を示す図である。図２では、特殊効果画像処理として、ファンタジックフォーカス（Ａｒｔ１）、ファンタジックフォーカス＋スターライト（Ａｒｔ２）、ファンタジックフォーカス＋ホワイトエッジ（Ａｒｔ３）、ポップアート（Ａｒｔ４）、ポップアート＋スターライト（Ａｒｔ５）、ポップアート＋ピンホール（Ａｒｔ６）、ポップアート＋ホワイトエッジ（Ａｒｔ７）、トイフォト（Ａｒｔ８）、ラフモノクローム（Ａｒｔ９）、ジオラマ（Ａｒｔ１０）の１０種類が記載されている。以下、これらの特殊効果画像処理について説明する。
【００２９】
ファンタジックフォーカスは、画像全体にぼかし処理を施し、ぼかす前の画像と一定の割合で合成するソフトフォーカスの効果を与える処理である。ファンタジックフォーカスは、中間の輝度をより明るくするトーンカーブ処理を行うことにより、柔らかいトーンの中で、被写体のディテールを残しながら、幸福な光に包まれたように美しく幻想的な雰囲気の画像を結像または生成する。ファンタジックフォーカスは、たとえばトーンカーブ処理、ソフトフォーカス処理、アルファブレンド処理および画像合成処理等の画像処理を組み合わせることによって実現される。
【００３０】
ファンタジックフォーカス＋スターライトは、ファンタジックフォーカスに加えて、画像中の高輝度部に対してクロスパターンを描写するクロスフィルター効果を施す処理（クロスフィルター処理）である。
【００３１】
ファンタジックフォーカス＋ホワイトエッジは、ファンタジックフォーカスに加えて、画像の中心部から周辺部（周縁部）に行くにしたがって徐々に白味を帯びる効果が施す処理（ホワイトエッジ処理）である。このような白味の効果は、画像の中心からの距離が大きいほど周辺部が白くなるように画素値を変更することによって得られる。
【００３２】
ポップアートは、色をカラフルに強調し、明るく楽しい雰囲気を表現する処理である。ポップアートは、たとえば彩度強調処理およびコントラスト強調処理を組み合わせることによって実現される。全体に高コントラストで高彩度の効果である。
【００３３】
ポップアート＋スターライトは、ポップアートとスターライトを重ねて施す処理である。この場合には、カラフルな画像にクロスフィルター処理を施した効果が得られる。
【００３４】
ポップアート＋ピンホールは、ポップアートに加えて、画像の周辺部をシェーディングによって暗くして穴から覗き込むような効果を与えるトイフォト（ピンホール）を施す処理である。トイフォトの詳細については、後述する。
【００３５】
ポップアート＋ホワイトエッジは、ポップアートとホワイトエッジを重ねて施す処理である。
【００３６】
トイフォトは、画像の中心からの距離が大きいほど輝度が小さく（暗く）なるようにして、あたかも穴から覗き込んで異空間に迷い込んだような効果を生じさせる処理である。トイフォトは、たとえばローパスフィルタ処理、ホワイトバランス処理、コントラスト処理、色相・彩度処理に加え、輝度信号に対して周辺ほど小さい係数を乗じるシェーディング処理等の画像処理を組み合わせることによって実現される（トイフォト、シェーディングの詳細な内容については、たとえば特開２０１０−７４２４４号公報を参照）。
【００３７】
ラフモノクロームは、高コントラストとフィルムの粒状のノイズを付加してモノクロ画像の力強さや荒々しさを表現する処理である。ラフモノクロームは、たとえばエッジ強調処理、レベル補正最適化処理、ノイズパターン重畳処理、合成処理およびコントラスト処理等を組み合わせることによって実現される（ラフモノクロームの詳細な内容については、たとえば特開２０１０−６２８３６号公報を参照）。このうち、ノイズパターン重畳処理（ノイズ付加処理）は、予め作成したノイズパターン画像をもとの画像に加算する処理である。ノイズパターン画像は、たとえば乱数などを発生させ、この乱数に基づいて生成してもよい。
【００３８】
ジオラマは、高コントラストで高彩度の画像に、画像の周縁部をぼかすことにより、ミニチュア模型やおもちゃを見ているかのような雰囲気を画面上に作り出す処理である。ジオラマは、たとえば色相・彩度処理、コントラスト処理、周辺ぼかし処理および合成処理等を組み合わせることによって実現される。このうち、周辺ぼかし処理は、画像の中心からの距離に応じ、周辺部ほどぼける度合いが大きくなるように、画像の位置に応じてローパス係数を変更しながらローパスフィルタ処理を行うものである。なお、周辺ぼかし処理として、画像の上下のみ、または画像の左右のみをぼかすようにしてもよい。
【００３９】
図１に戻り、引き続き、撮像装置１００の構成を説明する。
入力部１０３は、撮像装置１００の電源オンや電源オフの指示信号の入力を受け付ける電源スイッチ１０３ａと、撮像装置１００に撮影を指示するレリーズ信号の入力を受け付けるレリーズスイッチ１０３ｂと、撮像装置１００の各種パラメータの設定を切り替える指示信号の入力を受け付ける操作スイッチ１０３ｃと、を有する。また、レリーズスイッチ１０３ｂは、外部からの押圧により進退可能であり、半押しされた場合、撮像装置１００に撮影準備動作を指示するファーストレリーズ信号の入力を受け付ける一方、全押しされた場合に撮像装置１００に静止画撮影を指示するセカンドレリーズ信号の入力を受け付ける。
【００４０】
表示部１０４は、撮像部１０１が撮像した画像データに対応するライブビュー画像、画像処理部１０２が画像処理を施した画像データに対応する画像、記録部１０８が記録する画像データに対応する画像を表示する。表示部１０４は、液晶または有機ＥＬ（Electro  Luminescence）等からなる表示パネルを用いて構成される。ここで、画像の表示には、撮影直後の画像データを所定時間（たとえば３秒間）だけ表示するレックビュー表示、記録部１０８に記録された画像データを再生する再生表示、および撮像部１０１が連続的に生成する画像データに対応するライブビュー画像を時系列に沿って順次表示するライブビュー画像表示等が含まれる。また、表示部１０４は、撮像装置１００の操作情報および撮影に関する情報、たとえば露出値や絞り値等を適宜表示する。
【００４１】
タッチパネル１０５は、表示部１０４の表示画面上に設けられる。タッチパネル１０５は、外部からの物体のタッチを検出し、この検出したタッチ位置に応じた位置信号を制御部１１０に出力する。また、タッチパネル１０５は、ユーザが表示部１０４で表示される情報に基づいてタッチした位置を検出し、この検出したタッチ位置に応じて撮像装置１００が行う動作を指示する指示信号の入力を受け付ける。一般に、タッチパネル１０５としては、抵抗膜方式、静電容量方式および光学方式等がある。本実施の形態１では、いずれの方式のタッチパネルであっても適用可能である。
【００４２】
時計１０６は、計時機能および撮像日時の判定機能を有する。時計１０６は、撮像部１０１によって撮像された画像データに日時データを付加するため、制御部１１０に日時データを出力する。
【００４３】
画像圧縮展開部１０７は、画像処理部１０２が画像処理を施した処理画像データまたはアート効果画像データに対して所定の形式に従って圧縮し、この圧縮した圧縮画像データを記録部１０８へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１０７は、記録部１０８に記録された画像データ（圧縮画像データ）を取得し、取得した画像データを展開（伸長）して制御部１１０または画像処理部１０２に出力する。
【００４４】
記録部１０８は、撮像装置１００を動作させるための各種プログラムおよびプログラムの実行中に使用される各種データやパラメータ等を記録する。また、記録部１０８は、撮像装置１００が実行するプログラム記録部１０８ａと、特殊効果画像処理部１０２ｂが実行する特殊効果処理の画像処理のパラメータを記録する特殊効果処理情報記録部１０８ｂと、画像データ、画像データを現像する際の画像処理情報、画像データを撮像した際の撮像情報、画像データの特殊効果処理の有無情報およびサムネイル画像データを対応付けた画像ファイルデータを記録する画像データ記録部１０８ｃと、他の外部機器３００と無線通信するために必要な撮像装置１００の識別情報（ＩＰアドレス）、識別情報に対応するパスワード、投稿サーバ２００に画像データを含むコンテンツデータを送信する際のアカウントおよび投稿サーバ２００のＩＰアドレス等を記録する設定情報記録部１０８ｄと、を有する。また、記録部１０８は、ＦｌａｓｈメモリやＤＲＡＭ（Dynamic  Random  Access  Memory）等の半導体メモリを用いて構成される。
【００４５】
ここで、画像データ記録部１０８ｃが記録する画像ファイルデータについて詳細に説明する。図３は、画像ファイルデータの構成の一例を示す図である。
【００４６】
図３に示す画像ファイルデータＦは、Ｅｘｉｆ（Exchangeable  image  file  format）に準拠したフォーマットで画像データ（ＲＡＷデータ、処理画像データおよびアート効果画像データ）を記録するファイルであり、画像データＦ１を格納する格納領域Ｆ１０のヘッダー部分Ｆ２０に、サムネイル画像データＦ２１（ＪＰＥＧ形式）と、画像処理部１０２が画像データを現像する際の画像処理パラメータを記録する画像処理情報Ｆ２２と、画像データを撮像した際の焦点距離、絞り値、露出値、ＩＳＯ感度、ホワイトバランスおよびシャッタースピード等を記録する撮像情報Ｆ２３と、特殊効果処理の設定の有無および特殊効果処理の種別を記録する特殊効果の有無情報Ｆ２４と、サムネイル画像データＦ２５と、を有する。また、サムネイル画像データＦ２５には、通常のサムネイル画像データＦ２５１と、画像データに特殊効果処理が設定されている場合、特殊効果処理の強度を強調した強調サムネイル画像データＦ２５２とが記録されている。ここで、通常のサムネイル画像データとは、画像データに対して画像サイズやデータ量を縮小（圧縮）したものである。また、強調サムネイル画像データとは、格納領域Ｆ１０にアート効果画像データが格納されている場合、アート効果画像データの画像サイズやデータ量を縮小し、かつ、アート効果画像データの特殊効果処理の強度を高めたものである。なお、強調サムネイル画像データの詳細については後述する。このように、図３に示すフォーマットに従って、画像ファイルデータＦが画像データ記録部１０８ｃに記録される。
【００４７】
通信部１０９は、所定の無線通信規格に従って、投稿サーバ２００または他の外部機器３００と無線通信を行って画像ファイルデータまたはコンテンツデータを投稿サーバ２００または他の外部機器３００に送信可能であるとともに、投稿サーバ２００または他の外部機器３００からのコンテンツデータ、ＩＰアドレス、パスワード（キー情報）を受信する。通信部１０９は、ネットワークＮを介して投稿サーバ２００または他の外部機器３００と無線通信を行ってコンテンツデータや各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。
【００４８】
また、通信部１０９は、撮像装置１００の起動時において、その存在を報知する識別情報（機器ＩＤ）を含む通信信号を定期的に送信する。さらに、通信部１０９は、投稿サーバ２００または他の外部機器３００から送信された通信信号を受信して停止状態または待機状態から復帰し、投稿サーバ２００または他の外部機器３００との間で通信を確立する。さらにまた、通信部１０９は、撮像装置１００のモード、たとえば、再生モードや通信モードに移行した際に停止状態または待機状態から復帰する。なお、通信部１０９は、撮像装置１００の外部から装着されるメモリカード等の記録媒体に設けられていてもよい。
【００４９】
制御部１１０は、入力部１０３から入力される指示信号またはタッチパネル１０５から入力される位置信号等に応じて撮像装置１００を構成する各部に対応する指示やデータの転送等を行って撮像装置１００の動作を統括的に制御する。
【００５０】
制御部１１０の詳細な構成について説明する。制御部１１０は、サムネイル画像生成部１１０ａと、撮像制御部１１０ｂと、表示制御部１１０ｃと、を有する。
【００５１】
サムネイル画像生成部１１０ａは、外部機器３００が画像データに対応する画像の画像サイズを縮小したサムネイル画像であって、撮像装置１００の操作結果に応じて画像データが有する複数の画像パラメータの少なくとも１つを強調したサムネイル画像に対応するサムネイル画像データを生成し、このサムネイル画像データを画像ファイルデータに記録（格納）して画像データ記録部１０８ｃに記録する。具体的には、サムネイル画像生成部１１０ａは、特殊効果画像処理部１０２ｂに特殊効果処理が設定されている場合に、アート効果画像データの画像サイズを縮小するとともに、アート効果画像データに施された特殊効果処理の強度を大きくしたサムネイル画像データを生成する。ここで、複数の画像パラメータとは、絞り値、露出値、シャッタースピード、ホワイトバランス、ＩＳＯ感度、階調、ソフトフォーカス処理の強度、シェーディング処理の強度、ノイズパターン重畳処理の強度、ホワイトエッジ処理の強度、クロスフィルター処理の強度および彩度強調処理の強度および現像時の画像処理パラメータのいずれか１つ以上である。
【００５２】
撮像制御部１１０ｂは、入力部１０３から入力される指示信号に応じて、特殊効果画像処理部１０２ｂに特殊効果処理を設定してアート効果画像データを生成させる。また、撮像制御部１１０ｂは、入力部１０３から入力される指示信号に応じて、撮像素子１０１ｂが生成するフレームレートを設定する。
【００５３】
表示制御部１１０ｃは、表示部１０４の表示態様を制御する。具体的には、表示制御部１１０ｃは、画像処理部１０２が画像処理を行った画像データに対応する画像を表示部１０４に表示させる。また、表示制御部１１０ｃは、撮像装置１００の操作に関する情報を表示部１０４に表示させる。
【００５４】
このように構成された撮像装置１００は、撮像部１０１が撮像した画像データに対して、画像処理部１０２が画像処理を施して記録部１０８に記録する。さらに、撮像装置１００は、ネットワークＮを介して投稿サーバ２００に画像データを含む画像ファイルデータ等を送信または受信する。
【００５５】
つぎに、投稿サーバ２００の構成について説明する。図１に示すように、投稿サーバ２００は、ネットワークＮを介して撮像装置１００または他の外部機器３００から送信された画像ファイルデータを受信するとともに、撮像装置１００または他の外部機器３００からの指示信号に応じた画像ファイルデータやコンテンツデータを撮像装置１００または他の外部機器３００に送信する。投稿サーバ２００は、通信部２０１と、画像データベース２０２と、サーバ制御部２０３と、を有する。
【００５６】
通信部２０１は、所定の無線通信規格に従って、撮像装置１００または外部機器３００と通信を行って画像ファイルデータやコンテンツデータを撮像装置１００または外部機器３００に送信可能であるとともに、撮像装置１００または外部機器３００からの画像ファイルデータやコンテンツデータ、画像データの要求データ、ＩＰアドレスおよびアカウントデータ（キー情報）等を受信する。
【００５７】
画像データベース２０２は、ネットワークＮおよび通信部２０１を介して撮像装置１００または外部機器３００から受信した画像ファイルデータおよびコンテンツデータ等を記録する。画像データベース２０２は、ＳＤＲＡＭやハードディスクレコーダ等の記録媒体を用いて構成される。
【００５８】
サーバ制御部２０３は、ＣＰＵ等を用いて構成され、ネットワークＮおよび通信部２０１を介して撮像装置１００または外部機器３００から入力されるアクセス信号に応じて、画像データベース２０２に記録された画像ファイルデータやコンテンツデータを送信する。また、サーバ制御部２０３は、ネットワークＮおよび通信部２０１を介して撮像装置１００または外部機器３００から入力されるアクセス信号に応じて画像ファイルデータに含まれるサムネイル画像データまたは強調サムネイル画像データを送信する。
【００５９】
このように構成された投稿サーバ２００は、ネットワークＮを介して撮像装置１００または外部機器３００から送信された画像ファイルデータやコンテンツデータを受信して記録（管理）するとともに、撮像装置１００または外部機器３００から送信されたアクセス信号に応じた画像ファイルデータまたはコンテンツデータを含むウェブサイトのデータを送信する。
【００６０】
外部機器３００，４００，５００は、上述した撮像装置１００と同様の構成を有するため、構成の説明を省略する。なお、外部機器３００，４００，５００は、強調サムネイル画像データを生成する機能がなくてもよい。
【００６１】
以上のように構成された投稿システム１は、投稿サーバ２００を介して画像ファイルデータおよびコンテンツデータを共有することができる。
【００６２】
つぎに、撮像装置１００が実行する処理について説明する。図４は、撮像装置１００が実行する処理の概要を示すフローチャートである。
【００６３】
図４に示すように、まず、撮像装置１００が撮影モードに設定されている場合（ステップＳ１０１：Ｙｅｓ）について説明する。この場合、表示制御部１１０ｃは、撮像部１０１が生成した画像データに対応するライブビュー画像を表示部１０４に表示させる（ステップＳ１０２）。この場合、図５に示すように、ユーザは、撮像装置１００の表示部１０４で表示されるライブビュー画像を確認することによって、被写体Ｐ１に対する構図や撮影条件、たとえば絞り値、露出値、ＩＳＯ感度、ホワイトバランス、ピント位置、シャッタースピードおよび階調のいずれかを操作スイッチ１０３ｃによって調整しながら撮影を行う。さらに、ユーザは、操作スイッチ１０３ｃによって特殊効果画像処理部１０２ｂによる特殊効果処理の設定および特殊効果処理の種別の選択を行うことによって、画像の作り込みを行う。
【００６４】
続いて、特殊効果画像処理部１０２ｂによる特殊効果処理が設定され（ステップＳ１０３：Ｙｅｓ）、タッチパネル１０５を介して特殊効果処理の切換操作が行われた場合（ステップＳ１０４：Ｙｅｓ）、撮像制御部１１０ｂは、タッチパネル１０５上におけるタッチに応じて、特殊効果画像処理部１０２ｂによる特殊効果処理の設定を切り換える（ステップＳ１０５）。具体的には、図６に示すように、撮像装置１００に特殊効果画像処理部１０２ｂによる特殊効果処理が設定されている場合において、表示部１０４がライブビュー画像Ｗ１上に設定された特殊効果処理を示すアイコンＡ１と特殊効果処理の強度を切り換える指示信号の入力を受け付けるマークＹ１を重畳して表示しているとき（図６（ａ））、撮像制御部１１０ｂは、タッチパネル１０５を介して切換アイコンＡ１上におけるタッチの回数に応じて、特殊効果画像処理部１０２ｂによる特殊効果処理の設定を切り換える（図６（ａ）→図６（ｂ）→図６（ｃ））。たとえば、撮像制御部１１０ｂは、切換アイコンＡ１上におけるタッチの回数に応じて、特殊効果画像処理部１０２ｂによるＡｒｔ１からＡｒｔ２に切り換える（図６（ａ）→図６（ｂ）→図６（ｃ））。ステップＳ１０５の後、撮像装置１００は、ステップＳ１０６へ移行する。
【００６５】
ステップＳ１０４において、タッチパネル１０５を介して特殊効果処理の切換操作が行われていない場合（ステップＳ１０４：Ｎｏ）、撮像装置１００は、ステップＳ１０６へ移行する。
【００６６】
続いて、特殊効果画像処理部１０２ｂに設定された特殊効果処理の強度の切換操作が行われた場合（ステップＳ１０６：Ｙｅｓ）、撮像制御部１１０ｂは、タッチパネル１０５上におけるタッチ位置の軌跡に応じて、特殊効果画像処理部１０２ｂに設定された特殊効果処理の強度を切り換える（ステップＳ１０７）。具体的には、図７に示すように、特殊効果画像処理部１０２ｂに設定された特殊効果処理がＡｒｔ１の場合において、撮像制御部１１０ｂは、表示部１０４がライブビュー画像Ｗ１上に表示された切換アイコンＡ１上におけるタッチ位置の軌跡（回転スライド操作）に応じて、特殊効果画像処理部１０２ｂに設定された特殊効果処理の強度を切り換える（図７（ａ）→図７（ｂ）→図７（ｃ））。たとえば、撮像制御部１１０ｂは、切換アイコンＡ１上におけるタッチ位置の軌跡に応じて、特殊効果画像処理部１０２ｂによるＡｒｔ１の強度を切り換える（図７（ａ）→図７（ｂ）→図７（ｃ））。この際、表示制御部１１０ｃは、タッチ位置の軌跡に応じてマークＹ１の表示位置を変更する。これにより、ユーザは、直感的な操作でライブビュー画像Ｗ１を見ながら所望のイメージを盛り込んだ画像や趣向を凝らした画像を撮影することができる。なお、図７では、特殊効果画像処理部１０２ｂによる特殊効果をハッチング（斜線）によって表現した。ステップＳ１０７の後、撮像装置１００は、ステップＳ１０８へ移行する。
【００６７】
ステップＳ１０３において、特殊効果画像処理部１０２ｂによる特殊効果処理が設定されていない場合（ステップＳ１０３：Ｎｏ）、ステップＳ１０６において、特殊効果画像処理部１０２ｂに設定された特殊効果処理の強度の切換操作がない場合（ステップＳ１０６：Ｎｏ）、撮像装置１００は、ステップＳ１０８へ移行する。
【００６８】
続いて、レリーズスイッチ１０３ｂを介して撮影操作が行われた場合（ステップＳ１０８：Ｙｅｓ）、撮像装置１００は、撮影を行う（ステップＳ１０９）。ステップＳ１０９の後、撮像装置１００は、ステップＳ１１０へ移行する。これに対して、レリーズスイッチ１０３ｂを介して撮影操作が行われていない場合（ステップＳ１０８：Ｎｏ）、撮像装置１００は、ステップＳ１０１へ戻る。
【００６９】
ステップＳ１１０において、撮像装置１００に特殊効果画像処理部１０２ｂによる特殊効果処理が設定されている場合（ステップＳ１１０：Ｙｅｓ）、特殊効果画像処理部１０２ｂは、撮像された画像データに対して、設定された特殊効果処理の種別と強度で特殊効果処理を実行する（ステップＳ１１１）。
【００７０】
続いて、サムネイル画像生成部１１０ａは、特殊効果画像処理部１０２ｂが生成したアート効果画像データを用いて強調サムネイル画像データを生成する（ステップＳ１１２）。具体的には、図８に示すように、サムネイル画像生成部１１０ａは、特殊効果画像処理部１０２ｂが生成したアート効果画像データを用いて、アート画像効果データより特殊効果処理に含まれるいずれかの１つ以上の画像処理パラメータを強調した強調サムネイル画像データを生成する。たとえば、図８に示すように、サムネイル画像生成部１１０ａは、アート効果画像データＷ２に特殊効果処理の画像処理の１つとしてソフトフォーカス処理が含まれている場合、ソフトフォーカス処理の強度を大きくした強調サムネイル画像Ｗ３を生成する（図８（ａ）→図８（ｂ））。
【００７１】
また、図９に示すように、サムネイル画像生成部１１０ａは、アート効果画像データＷ４に特殊効果処理の画像処理の１つとしてスターライト処理が設定されている場合、スターライト処理の強度を大きくした（輝度点の表示領域を大きくした）強調サムネイル画像データＷ５を生成する（図９（ａ）→図９（ｂ））。
【００７２】
さらに、図１０に示すよう、サムネイル画像生成部１１０ａは、アート効果画像データＷ６に特殊効果処理の画像処理の１つとしてシェーディング処理やホワイトエッジ処理が設定されている場合、シェーディング処理やホワイトアウト処理の強度を高くした（シェーディングやホワイトアウトの領域を大きくした）強調サムネイル画像データＷ７を生成する（図１０（ａ）→図１０（ｂ））。
【００７３】
その後、撮像制御部１１０ｂは、特殊効果画像処理部１０２ｂが生成したアート効果画像データと、サムネイル画像生成部１１０ａが生成した強調サムネイル画像データとを対応付けた画像ファイルデータを生成して記録部１０８に記録する（ステップＳ１１３）。この際、撮像制御部１１０ｂは、アート効果画像データと、強調サムネイル画像データと、撮影画像データ（ＲＡＷデータまたは処理画像データ）とを対応付けて画像ファイルデータを生成する。もちろん、撮影制御部１１０ｂは、通常のサムネイル画像データも画像ファイルデータに対応付けて生成してもよい。
【００７４】
続いて、表示制御部１１０ｃは、撮像部１０１が撮像した画像データに対応する画像を表示部１０４にレックビュー表示させる（ステップＳ１１４）。
【００７５】
その後、制御部１１０は、表示部１０４がレックビュー表示を行ってから所定時間が経過したか否かを判断する（ステップＳ１１５）。表示部１０４がレックビュー表示を行ってから所定時間、たとえば３秒経過していると制御部１１０が判断した場合（ステップＳ１１５：Ｙｅｓ）、撮像装置１００は、ステップＳ１０１へ戻る。
【００７６】
これに対して、表示部１０４がレックビュー表示を行ってから所定時間が経過していないと制御部１１０が判断した場合（ステップＳ１１５：Ｎｏ）、撮像装置１００は、ステップＳ１１６へ移行する。
【００７７】
続いて、タッチパネル１０５または入力部１０３を介して表示部１０４がレックビュー表示する画像Ｗ１に対して、コメントを入力するコメント操作が行われた場合（ステップＳ１１６：Ｙｅｓ）、タッチパネル１０５または入力部１０３から入力される指示信号に応じてコメントを入力する（ステップＳ１１７）。たとえば、図１１に示すように、ユーザが被写体Ｐ１を撮影した直後に被写体Ｐ１の外部機器３００に画像を送付する場合において、表示部１０４がレックビュー表示する画像Ｗ１上に対してコメントを入力する指示信号の入力を受け付けるコメントアイコンＡ３がタッチされたとき（図１２（ａ）を参照）、表示制御部１１０ｃは、画像Ｗ１を縮小して表示部１０４に表示させるとともに、入力部１０３またはタッチパネル１０５を介してコメントを入力する入力画面Ｇ１を表示部１０４に表示させる（図１２（ａ）→図１２（ｂ））。これにより、ユーザは、所望のコメントを入力することができる。ステップＳ１１７の後、撮像装置１００は、ステップＳ１１８へ移行する。
【００７８】
これに対して、タッチパネル１０５または入力部１０３を介して表示部１０４がレックビュー表示する画像に対して、コメントを入力するコメント操作が行われていない場合（ステップＳ１１６：Ｎｏ）、撮像装置１００は、ステップＳ１１８へ移行する。
【００７９】
続いて、タッチパネル１０５を介して投稿サーバ２００、外部機器３００または画像投稿サイトのいずれかに画像ファイルデータを送信して他の外部機器３００と画像やコンテンツを共有する指示信号の入力を受け付けるシェアアイコンＡ２が操作された場合（ステップＳ１１８：Ｙｅｓ）、撮像装置１００は、画像ファイルデータを送信する送信先とネットワークを共有するネットワーク共有処理を実行する（ステップＳ１１９）。具体的には、図１３に示すように、表示部１０４がレックビュー表示する画像Ｗ１上に対してシェアアイコンＡ２がタッチされ、画像ファイルデータを送信する送信先を指示するアイコンＡ１１〜Ａ１３のいずれかがタッチされた場合（図１３（ａ）→図１３（ｂ））、撮像装置１００は、ネットワーク共有処理を実行する。なお、ネットワーク共有処理の詳細は後述する。また、図１３において、アイコンＡ１１は、他の外部機器３００に対して画像ファイルデータを送信する機器間通信を指示する指示信号の入力を受け付ける。アイコンＡ１２は、投稿サーバ２００に画像ファイルデータを送信する指示信号の入力を受け付ける。アイコンＡ１３は、画像データをネット上に公開する画像投稿サイトに画像ファイルデータを送信する指示信号の入力を受け付ける。ステップＳ１１９の後、撮像装置１００は、ステップＳ１０１へ戻る。
【００８０】
ステップＳ１１８において、タッチパネル１０５を介して投稿サーバ２００に画像ファイルデータを送信して他の外部機器３００と画像やコンテンツデータを共有する指示信号の入力を受け付けるシェアアイコンＡ２が操作されていない場合（ステップＳ１１８：Ｎｏ）、撮像装置１００は、ステップＳ１１４へ戻る。
【００８１】
ステップＳ１１０において、撮像装置１００に特殊効果画像処理部１０２ｂによる特殊効果処理が設定されていない場合（ステップＳ１１０：Ｎｏ）、サムネイル画像生成部１１０ａは、画像処理部１０２が生成した処理画像データまたは撮像部１０１が生成した画像データ（ＲＡＷデータ）を用いて通常のサムネイル画像データを生成する（ステップＳ１２０）。
【００８２】
続いて、撮像制御部１１０ｂは、処理画像データまたは画像データとサムネイル画像データとを対応付けた画像ファイルデータを生成して記録部１０８に記録する（ステップＳ１２１）。ステップＳ１２１の後、撮像装置１００は、ステップＳ１１４へ移行する。
【００８３】
ステップＳ１０１において、撮像装置１００に撮影モードが設定されておらず（ステップＳ１０１：Ｎｏ）、撮像装置１００に再生モードが設定されている場合（ステップＳ１２２：Ｙｅｓ）について説明する。この場合、表示制御部１１０ｃは、記録部１０８が記録する複数の画像ファイルデータにそれぞれ記録（格納）されたサムネイル画像データに対応するサムネイル画像を表示部１０４に順次表示させるサムネイル画像の表示を開始する（ステップＳ１２３）。
【００８４】
続いて、表示部１０４が次に表示予定の画像データに特殊効果処理の設定が行われている場合（ステップＳ１２４：Ｙｅｓ）、表示制御部１１０ｃは、画像ファイルデータに記録されたサムネイル画像データのうち強調サムネイル画像データに対応する強調サムネイル画像を表示部１０４に表示させる（ステップＳ１２５）。ステップＳ１２５の後、撮像装置１００は、後述するステップＳ１２７へ移行する。
【００８５】
これに対して、表示部１０４が次に表示予定の画像データに特殊効果処理の設定が行われていない場合（ステップＳ１２４：Ｎｏ）、表示制御部１１０ｃは、画像データファイルに記録されたサムネイル画像データに対応する通常のサムネイル画像を表示部１０４に表示させる（ステップＳ１２６）。ステップＳ１２６の後、撮像装置１００は、ステップＳ１２７へ移行する。
【００８６】
ステップＳ１２７において、入力部１０３またはタッチパネル１０５を介して表示部１０４が表示するサムネイル画像が選択された場合（ステップＳ１２７：Ｙｅｓ）、表示制御部１１０ｃは、サムネイル画像の表示を終了し（ステップＳ１２８）、サムネイル画像の画像ファイルデータに記録された画像データに対応する画像を表示部１０４に再生表示させる（ステップＳ１２９）。
【００８７】
続いて、入力部１０３から画像の再生を終了する指示信号が入力された場合（ステップＳ１３０：Ｙｅｓ）、撮像装置１００は、後述するステップＳ１３５へ移行する。これに対して、入力部１０３から画像の再生を終了する指示信号が入力されていない場合（ステップＳ１３０：Ｎｏ）、撮像装置１００は、ステップＳ１３１へ移行する。
【００８８】
ステップＳ１２７において、入力部１０３またはタッチパネル１０５を介して表示部１０４が表示するサムネイル画像が選択されていない場合（ステップＳ１２７：Ｎｏ）、撮像装置１００は、ステップＳ１２４へ戻る。
【００８９】
ステップＳ１３１において、タッチパネル１０５または入力部１０３を介して表示部１０４が再生表示する画像に対して、コメントを入力するコメント操作が行われた場合（ステップＳ１３１：Ｙｅｓ）、タッチパネル１０５または入力部１０３から入力される指示信号に応じてコメントを入力する（ステップＳ１３２）。ステップＳ１３２の後、撮像装置１００は、ステップＳ１３３へ移行する。これに対して、入力部１０３またはタッチパネル１０５を介して表示部１０４が再生表示する画像に対して、コメントを入力するコメント操作が行われていない場合（ステップＳ１３１：Ｎｏ）、撮像装置１００は、ステップＳ１３３へ移行する。
【００９０】
続いて、タッチパネル１０５を介して投稿サーバ２００に画像ファイルデータを送信して外部機器３００と画像やコンテンツを共有する指示信号の入力を受け付けるシェアアイコンＡ２が操作された場合（ステップＳ１３３：Ｙｅｓ）、撮像装置１００は、画像ファイルデータを投稿する投稿先とネットワークを共有するネットワーク共有処理を実行する（ステップＳ１３４）。なお、ネットワーク共有処理の詳細は後述する。ステップＳ１３４の後、撮像装置１００は、ステップＳ１３５へ移行する。これに対して、タッチパネル１０５を介して投稿サーバ２００に画像ファイルデータを送信して他の外部機器と画像やコンテンツを共有する指示信号の入力を受け付けるシェアアイコンＡ２が操作されていない場合（ステップＳ１３３：Ｎｏ）、撮像装置１００は、ステップＳ１３５へ移行する。
【００９１】
つぎに、ステップＳ１０１において、撮像装置１００に撮影モードが設定されておらず（ステップＳ１０１：Ｎｏ）、撮像装置１００に再生モードが設定されていない場合（ステップＳ１２２：Ｎｏ）において、電源スイッチ１０３ａが操作されて撮像装置１００の電源がオフになったとき（ステップＳ１３５：Ｙｅｓ）、撮像装置１００は、本処理を終了する。
【００９２】
ステップＳ１０１において、撮像装置１００に撮影モードが設定されておらず（ステップＳ１０１：Ｎｏ）、撮像装置１００に再生モードが設定されていない場合（ステップＳ１２２：Ｎｏ）において、電源スイッチ１０３ａが操作されず、撮像装置１００の電源がオフになっていないとき（ステップＳ１３５：Ｎｏ）、撮像装置１００は、ステップＳ１０１へ戻る。
【００９３】
つぎに、ネットワーク共有処理について説明する。図１４は、図４のステップＳ１１９またはステップＳ１３４のネットワーク共有処理の概要を示すフローチャートである。
【００９４】
図１４に示すように、撮像装置１００に機器間通信が選択された場合（ステップＳ２０１：Ｙｅｓ）、制御部１１０は、撮像装置１００と双方向に通信を行う通信候補を判定する（ステップＳ２０２）。
【００９５】
続いて、表示部１０４が表示する複数の外部機器の識別情報から候補機器が選択された場合（ステップＳ２０３：Ｙｅｓ）において、外部機器３００から送信された認証操作が正常のとき（ステップＳ２０４：Ｙｅｓ）、制御部１１０は、画像ファイルデータを選択された外部機器３００に送信する（ステップＳ２０５）。具体的には、制御部１１０は、選択した外部機器３００から双方向に通信を確立するパスワードが一致した場合、画像ファイルデータを選択された外部機器３００に送信する。これにより、外部機器３００は、撮像装置１００から受信した画像ファイルデータに格納された画像データに対応する画像を表示することができる。ステップＳ２０５の後、撮像装置１００は、図４のメインルーチンへ戻る。
【００９６】
ステップＳ２０３において、表示部１０４が表示する複数の外部機器の識別情報から候補機器が選択されていない場合（ステップＳ２０３：Ｎｏ）、ステップＳ２０４において、外部機器から送信された認証操作が正常でない場合（ステップＳ２０４：Ｎｏ）、撮像装置１００は、ステップＳ２０６へ移行する。
【００９７】
続いて、機器間通信が選択されてから所定時間が経過しているとき（ステップＳ２０６：Ｙｅｓ）、表示制御部１１０ｃは、表示部１０４に選択された外部機器３００と共有できない旨の警告を表示部１０４に表示させる（ステップＳ２０７）。ステップＳ２０７の後、撮像装置１００は、図４のメインルーチンへ戻る。これに対して、機器間通信が選択されてから所定時間が経過していないとき（ステップＳ２０６：Ｎｏ）、撮像装置１００は、ステップＳ２０３へ戻る。
【００９８】
ステップＳ２０１において、機器間通信が選択されていない場合（ステップＳ２０１：Ｎｏ）において、ＳＮＳ送信が選択されたとき（ステップＳ２０８：Ｙｅｓ）、制御部１１０は、画像ファイルデータを送信する投稿サイトの送信先が選択されたか否かを判断する（ステップＳ２０９）。たとえば、制御部１１０は、複数の会員制の投稿共有サイトのいずれか１つが選択されたか否かを判断する。画像ファイルデータを送信する会員制の投稿共有サイトが選択されたと制御部１１０が判断した場合（ステップＳ２０９：Ｙｅｓ）、撮像装置１００は、後述するステップＳ２１０へ移行する。これに対して、画像ファイルデータを送信する会員制の投稿共有サイトが選択されていないと制御部１１０が判断した場合（ステップＳ２０９：Ｎｏ）、撮像装置１００は、後述するステップＳ２１３へ移行する。
【００９９】
ステップＳ２１０において、制御部１１０は、入力部１０３またはタッチパネル１０５を介して入力される指示信号に基づいて、会員制の投稿共有サイト内において送信した画像ファイルデータを公開する他のユーザの公開範囲を設定する。
【０１００】
続いて、会員制の投稿共有サイトの認証操作が正常に行われた場合（ステップＳ２１１：Ｙｅｓ）、制御部１１０は、通信部１０９およびネットワークＮを介して投稿サーバ２００に画像ファイルデータを送信する（ステップＳ２１２）。これにより、自身のアカウントをフォローした他のユーザのウェブサイトに画像データを公開することができる。ステップＳ２１２の後、撮像装置１００は、図４のメインルーチンへ戻る。
【０１０１】
ステップＳ２１３において、ＳＮＳ送信が選択されてから所定時間が経過している場合（ステップＳ２１３：Ｙｅｓ）、表示制御部１１０ｃは、投稿サイトに画像ファイルデータを送信できない旨の警告を表示部１０４に表示させる（ステップＳ２１４）。ステップＳ２１４の後、撮像装置１００は、図４のメインルーチンへ戻る。これに対して、ＳＮＳ送信が選択されてから所定時間が経過していない場合（ステップＳ２１３：Ｎｏ）、撮像装置１００は、ステップＳ２０９へ戻る。
【０１０２】
ステップＳ２０１において、機器間通信が選択されておらず（ステップＳ２０１：Ｎｏ）、ＳＮＳ送信が選択されていない場合（ステップＳ２０８：Ｎｏ）において、画像データを他のユーザに対して制限なく投稿する画像公開サイトが選択されたとき（ステップＳ２１５：Ｙｅｓ）、制御部１１０は、入力部１０３またはタッチパネル１０５を介して画像データを送信する複数の画像公開サイトのいずれか１つの送信先が選択されたか否かを判断する（ステップＳ２１６）。入力部１０３またはタッチパネル１０５を介して画像データを送信する画像公開サイトが選択されたと制御部１１０が判断した場合（ステップＳ２１６：Ｙｅｓ）、撮像装置１００は、後述するステップＳ２１７へ移行する。これに対して、入力部１０３またはタッチパネル１０５を介して画像データを送信する画像公開サイトが選択されていないと制御部１１０が判断した場合（ステップＳ２１６：Ｎｏ）、撮像装置１００は、後述するステップＳ２２１へ移行する。
【０１０３】
ステップＳ２１７において、画像公開サイトへの認証操作が正常に行われた場合（ステップＳ２１７：Ｙｅｓ）、制御部１１０は、入力部１０３またはタッチパネル１０５から入力される指示信号に応じて、画像公開サイトへ送信する画像データの分類情報を設定し（ステップＳ２１８）、テーマを設定する（ステップＳ２１９）。具体的には、制御部１１０は、入力部１０３から入力される指示信号に応じて、画像データの分類情報、たとえば風景や子供に設定するとともに、画像データのテーマ、たとえば夕日や誕生日等を設定する。
【０１０４】
続いて、制御部１１０は、通信部１０９およびネットワークＮを介して画像公開サイトへ画像ファイルデータを送信する（ステップＳ２２０）。これにより、画像投稿サイトにアクセスした他のユーザがウェブサイトを介して画像を閲覧することができる。ステップＳ２２０の後、撮像装置１００は、図４のメインルーチンへ戻る。
【０１０５】
ステップＳ２１６において、送信先が選択されていない場合（ステップＳ２１６：Ｎｏ）、ステップＳ２１７において、画像公開サイトへの認証操作が正常に行われていない場合（ステップＳ２１７：Ｎｏ）、撮像装置１００は、ステップＳ２２１へ移行する。
【０１０６】
続いて、所定時間が経過している場合（ステップＳ２２１：Ｙｅｓ）、表示制御部１１０ｃは、画像公開サイトに画像ファイルデータを送信できない旨の警告を表示部１０４に表示させる（ステップＳ２２２）。ステップＳ２２２の後、撮像装置１００は、図４のメインルーチンへ戻る。これに対して、所定時間が経過していない場合（ステップＳ２２１：Ｎｏ）、撮像装置１００は、ステップＳ２１６へ戻る。
【０１０７】
ステップＳ２１５において、画像公開サイトが選択されていない場合（ステップＳ２１５：Ｎｏ）、撮像装置１００は、図４のメインルーチンへ戻る。
【０１０８】
つぎに、投稿サーバ２００が実行する処理について説明する。図１５は、投稿サーバ２００が実行する処理の概要を示すフローチャートである。
【０１０９】
図１５に示すように、ネットワークＮおよび通信部２０１を介して画像ファイルデータを撮像装置１００または外部機器３００から受信した場合（ステップＳ３０１：Ｙｅｓ）において、画像ファイルデータにコメント情報があるとき（ステップＳ３０２：Ｙｅｓ）、サーバ制御部２０３は、画像ファイルデータのコメントデータに基づいて、コメントデータの画像化を行う（ステップＳ３０３）。なお、サーバ制御部２０３は、撮像装置１００または外部機器３００からコメントデータのみを受信した際に、この受信したコメントデータの画像化を行う。
【０１１０】
続いて、画像ファイルデータに含まれる画像データに特殊効果処理の設定情報がある場合（ステップＳ３０４：Ｙｅｓ）、サーバ制御部２０３は、画像ファイルデータに記録された強調サムネイル画像データを画像データベース２０２に記録する（ステップＳ３０５）。なお、サーバ制御部２０３は、画像ファイルデータに記録された通常のサムネイル画像データを画像データベース２０２に記録してもよい。ステップＳ３０５の後、投稿サーバ２００は、ステップＳ３０１へ戻る。
【０１１１】
ステップＳ３０４において、画像ファイルデータに含まれる画像データに特殊効果処理の設定情報がない場合（ステップＳ３０４：Ｎｏ）、サーバ制御部２０３は、画像ファイルデータに含まれる通常のサムネイル画像データを画像データベース２０２に記録する（ステップＳ３０６）。ステップＳ３０６の後、投稿サーバ２００は、ステップＳ３０１へ戻る。
【０１１２】
ステップＳ３０２において、画像ファイルデータにコメントデータがないとき（ステップＳ３０２：Ｎｏ）、投稿サーバ２００は、ステップＳ３０４へ移行する。
【０１１３】
ステップＳ３０１において、ネットワークＮおよび通信部２０１を介して画像ファイルデータを受信していない場合（ステップＳ３０１：Ｎｏ）において、撮像装置１００または外部機器３００からアクセスがあったとき（ステップＳ３０７：Ｙｅｓ）、サーバ制御部２０３は、撮像装置１００または外部機器３００から指定された指定ページデータ（ウェブサイトデータ）を送信する（ステップＳ３０８）。
【０１１４】
続いて、撮像装置１００または外部機器３００からページの切換指示信号を受信した場合（ステップＳ３０９：Ｙｅｓ）、サーバ制御部２０３は、切換指示信号に応じた別のページデータを送信する（ステップＳ３１０）。ステップＳ３１０の後、投稿サーバ２００は、ステップＳ３１１へ移行する。これに対して、撮像装置１００または他の外部機器３００からページの切換指示信号を受信していない場合（ステップＳ３０９：Ｎｏ）、投稿サーバ２００は、ステップＳ３１１へ移行する。
【０１１５】
その後、指定されたページに画像が含まれている場合（ステップＳ３１１：Ｙｅｓ）において、画像に特殊効果処理が設定されているとき（ステップＳ３１２：Ｙｅｓ）、サーバ制御部２０３は、画像データベース２０２から指定された指定ページに対応する画像ファイルデータを取得し、この画像ファイルデータに含まれる強調サムネイル画像データを撮像装置１００または他の外部機器３００に送信する（ステップＳ３１３）。これにより、図１６および図１７に示すように、外部機器３００は、サムネイル画像Ｗ２（図１７を参照）の時と比べて、強調サムネイル画像Ｗ３（図１７を参照）が他のサムネイル画像Ｗ１０〜Ｗ１２に比して強調して表示するので、ユーザに対して複数のサムネイル画像の中から注目させることができる。この結果、外部機器３００のユーザは、他のサムネイル画像に比して強調サムネイル画像Ｗ３が気になるので、強調サムネイル画像Ｗ３を選択する確立が高まる。もちろん、撮像装置１００のユーザ自身が表示部１０４で表示されるサムネイル画像の一覧から探索する際にも強調されるので、他のサムネイル画像から自身が撮影した画像を容易に見つけ出すことができる。ステップＳ３１４の後、投稿サーバ２００は、後述するステップＳ３１５へ移行する。
【０１１６】
ステップＳ３１２において、画像に特殊効果処理が設定されていないとき（ステップＳ３１２：Ｎｏ）、サーバ制御部２０３は、画像データベース２０２から指定された指定ページに対応する画像ファイルデータを取得し、この画像ファイルデータに含まれる通常のサムネイル画像データを撮像装置１００または外部機器３００に送信する（ステップＳ３１４）。ステップＳ３１４の後、投稿サーバ２００は、後述するステップＳ３１５へ移行する。
【０１１７】
続いて、撮像装置１００または外部機器３００が表示するサムネイル画像または強調サムネイル画像を選択する指示信号を受信した場合（ステップＳ３１５：Ｙｅｓ）、サーバ制御部２０３は、選択されたサムネイル画像または強調サムネイル画像に対応付けられた画像ファイルデータに含まれる画像データを送信する（ステップＳ３１６）。たとえば、図１８（ａ）に示すように、ユーザが外部機器３００で表示される強調サムネイル画像Ｗ３をタッチした場合、サーバ制御部２０３は、強調サムネイル画像Ｗ３に対応する画像データ（アート効果画像データ）を外部機器３００に送信する。これにより、図１８（ｂ）に示すように、外部機器３００は、実際の画像データに対応する画像を再生して表示させることができ、撮影者の趣向を反映させることができる。
【０１１８】
その後、ネットワークＮおよび通信部２０１を介して撮像装置１００または他の外部機器３００から閲覧を終了する指示信号を受信した場合（ステップＳ３１７：Ｙｅｓ）、投稿サーバ２００は、本処理を終了する。これに対して、ネットワークＮおよび通信部２０１を介して撮像装置１００または他の外部機器３００から閲覧を終了する指示信号を受信していない場合（ステップＳ３１７：Ｎｏ）、投稿サーバ２００は、ステップＳ３０１へ戻る。
【０１１９】
ステップＳ３１５において、撮像装置１００または外部機器３００が表示するサムネイル画像または強調サムネイル画像を選択する指示信号を受信していない場合（ステップＳ３１５：Ｎｏ）、投稿サーバ２００は、ステップＳ３１７へ移行する。
【０１２０】
ステップＳ３１１において、指定されたページに画像が含まれていない場合（ステップＳ３１１：Ｎｏ）、投稿サーバ２００は、ステップＳ３１７へ移行する。
【０１２１】
ステップＳ３０１において、ネットワークＮおよび通信部２０１を介して画像ファイルデータを受信しておらず（ステップＳ３０１：Ｎｏ）、撮像装置１００または他の外部機器３００からアクセスがない場合（ステップＳ３０７：Ｎｏ）において、撮像装置１００または外部機器３００からコメントデータを受信したとき（ステップＳ３１８：Ｙｅｓ）、サーバ制御部２０３は、コメントデータを対応ページに反映して画像データベース２０２に記録する（ステップＳ３１９）。ステップＳ３１９の後、投稿サーバ２００は、ステップＳ３１７へ移行する。
【０１２２】
ステップＳ３１８において、撮像装置１００または他の外部機器３００からコメントデータを受信していないとき（ステップＳ３１８：Ｎｏ）、投稿サーバ２００は、ステップＳ３１７へ移行する。
【０１２３】
以上説明した本発明の実施の形態１によれば、サムネイル画像生成部１１０ａが外部機器３００によって表示されるサムネイル画像データであって、撮像装置１００の操作結果に応じて画像データの画像パラメータの少なくとも１つを強調したサムネイル画像データを生成する。この結果、画像データをウェブサイトに投稿した場合であっても、他のユーザから関心を引きつけることができる。
【０１２４】
また、本発明の実施の形態１では、撮像装置１００がネットワークＮを介して画像ファイルデータを送信する送信先に応じて、サムネイル画像生成部１１０ａが強調する複数の画像パラメータの重みを変えてサムネイル画像データを生成してもよい。たとえば、サムネイル画像生成部１１０ａは、特殊効果処理部１０２ｂに特殊効果処理としてファンタジックソフトフォーカス（Ａｒｔ１）が設定されている場合、ネットワークＮを介して画像ファイルデータを送信する投稿サーバ２００や外部機器３００に応じて、アート効果画像データに施されたソフトフォーカス処理の強度を他の画像パラメータの強度より重くしたサムネイル画像データを生成する。より具体的には、サムネイル画像生成部１１０ａは、撮像装置１００が投稿サーバ２００に画像ファイルデータを送信する場合、ソフトフォーカス処理の強度を他の画像パラメータの強度より重くしたサムネイル画像データを生成する。これに対して、サムネイル画像生成部１１０ａは、撮像装置１００が携帯機器３００に画像ファイルデータに送信する場合、ソフトフォーカス処理の強度を維持したサムネイル画像データを生成する。これにより、ユーザ自身のＳＮＳ等のウェブサイトで画像データを共有させる場合、他のユーザから関心を引きつけることができるとともに、画像投稿サイト等では、強調させることなく、画像そのものを他のユーザに共有させることができる。
【０１２５】
また、本発明の実施の形態１では、撮像装置１００がネットワークＮを介して外部機器３００が画像ファイルデータを取得可能な外部機器３００の設定条件に応じて、サムネイル画像生成部１１０ａが強調する複数の画像パラメータの重みを変えてサムネイル画像データを生成してもよい。具体的には、サムネイル画像生成部１１０ａは、外部機器３００からフォローされた投稿サーバ２００内における自身のウェブサイトで閲覧可能な共有範囲の設定条件に応じて、強調する複数の画像パラメータの重みを変えたサムネイル画像データを生成する。より具体的には、サムネイル画像生成部１１０ａは、外部機器３００からフォローされた投稿サーバ２００内における自身のウェブサイトで閲覧可能な共有範囲の設定条件、たとえば家族、恋人、学校、友達および公開等の条件に応じて、たとえばソフトフォーカス処理の強度を他の画像パラメータの強度より重くしたサムネイル画像データを生成する。たとえば、サムネイル画像生成部１１０ａは、外部機器３００からフォローされた投稿サーバ２００内における自身のウェブサイトで閲覧可能な共有範囲の設定条件が友達の場合、ソフトフォーカス処理の強度を他の画像パラメータの強度より重くしたサムネイル画像データを生成する。これに対して、サムネイル画像生成部１１０ａは、外部機器３００からフォローされた投稿サーバ２００内における自身のウェブサイトで閲覧可能な共有範囲の設定条件が公開の場合、ソフトフォーカス処理の強度を維持したサムネイル画像データを生成する。これにより、ユーザ自身のＳＮＳ等のウェブサイトで画像データを共有範囲に応じたサムネイル画像を外部機器３００で表示させることができる。
【０１２６】
（実施の形態２）
つぎに、本発明の実施の形態２について説明する。本実施の形態２にかかる撮像装置は、上述した実施の形態１にかかる撮像装置１００と同一の構成を有し、ネットワーク共有処理が異なる。具体的には、本実施の形態２にかかる撮像装置は、ＳＮＳサイトに画像ファイルデータを送信する際に強調サムネイル画像データを生成して送信する。このため、以下においては、本実施の形態２にかかる撮像装置が実行する処理について説明する。なお、上述した実施の形態１にかかる撮像装置１００と同一の構成には同一の符号を付して説明する。
【０１２７】
図１９は、本実施の形態２にかかる撮像装置１００が実行するネットワーク共有処理の概要を示すフローチャートである。
【０１２８】
図１９において、ステップＳ４０１〜ステップＳ４１１は、図１４のステップＳ２０１〜ステップＳ２１１にそれぞれ対応する。
【０１２９】
ステップＳ４１２において、画像データに特殊効果処理の設定がある場合（ステップＳ４１２：Ｙｅｓ）、サムネイル画像生成部１１０ａは、画像データに基づいて、強調サムネイル画像データを生成する（ステップＳ４１３）。この際、サムネイル画像生成部１１０ａは、画像データが記録された画像ファイルデータにサムネイル画像データを記録（格納）する。ステップＳ４１３の後、撮像装置１００は、後述するステップＳ４１４へ移行する。
【０１３０】
ステップＳ４１２において、画像データに特殊効果処理の設定がない場合（ステップＳ４１２：Ｎｏ）、撮像装置１００は、ステップＳ４１４へ移行する。
【０１３１】
ステップＳ４１４〜ステップＳ４２４は、図１４のステップＳ２１２〜ステップＳ２２２にそれぞれ対応する。
【０１３２】
以上説明した本発明の実施の形態２によれば、画像ファイルデータを投稿サーバ２００に送信する際に、画像データに特殊効果処理の設定が行われているとき、サムネイル画像生成部１１０ａが強調サムネイル画像データを生成して画像ファイルデータに記録する。これにより、撮影直後に強調サムネイル画像データを生成しないので、撮影から復帰させるまでの時間を短縮することができ、被写体のシャッタチャンスを逃すことを防止することができる。
【０１３３】
また、本発明の実施の形態２によれば、画像ファイルデータを投稿サーバ２００に送信するときに、サムネイル画像生成部１１０ａが強調サムネイル画像データを生成するので、記録部１０８の記録容量を効率的に使用することができる。
【０１３４】
（実施の形態３）
つぎに、本発明の実施の形態について説明する。本実施の形態３にかかる投稿システムは、上述した実施の形態１にかかる投稿サーバ２００と構成が異なる。このため、本実施の形態３では、投稿サーバの構成を説明後、投稿サーバが実施する処理について説明する。なお、上述した実施の形態と同一の構成には同一の符号を付して説明する。
【０１３５】
図２０は、本実施の形態３にかかる投稿システムの概要を示すブロック図である。図２０に示す投稿システム２は、撮像装置１００と、ネットワークＮを介して撮像装置１００から送信された画像データを所定の無線通信規格で受信するとともに、外部機器３００，４００，５００に画像データを送信する投稿サーバ６００と、を備える。
【０１３６】
投稿サーバ６００は、ネットワークＮを介して撮像装置１００または外部機器３００から送信された画像ファイルデータを受信するとともに、撮像装置１００または外部機器３００からの指示信号に応じた画像ファイルデータやコンテンツデータを撮像装置１００または外部機器３００に送信する。投稿サーバ６００は、通信部２０１と、画像データベース２０２と、サーバ制御部６０１と、を有する。
【０１３７】
サーバ制御部６０１は、ＣＰＵ等を用いて構成され、ネットワークＮおよび通信部２０１を介して撮像装置１００または外部機器３００から入力される要求信号に応じて、画像データベース２０２に記録された画像ファイルデータやコンテンツデータを送信する。また、サーバ制御部６０１は、サムネイル画像生成部６０１ａを有する。
【０１３８】
サムネイル画像生成部６０１ａは、ネットワークＮおよび通信部２０１を介して外部から画像ファイルデータを受信した場合において、この受信した画像ファイルデータに記録された画像データに特殊効果処理の設定が行われているとき、画像データに対応する画像の画像サイズを縮小したサムネイル画像であって、撮像装置１００の操作結果に応じて画像データが有する複数の画像パラメータの少なくとも１つを強調したサムネイル画像に対応するサムネイル画像データを生成し、このサムネイル画像データを画像データベース２０２に記録する。また、サムネイル画像生成部６０１ａは、ネットワークＮおよび通信部２０１を介して外部に画像ファイルデータを送信する場合において、この画像ファイルデータに記録された画像データに特殊効果処理の設定が行われているとき、画像データに基づいて、撮像装置１００または外部機器３００の操作結果に応じて画像データが有する複数の画像パラメータの少なくとも１つを強調したサムネイル画像データを生成し、この強調したサムネイル画像データを外部へ送信する。
【０１３９】
以上の構成を有する投稿サーバ６００が実行する処理について説明する。図２１は、投稿サーバ６００が実行する処理の概要を説明するフローチャートである。
【０１４０】
図２１において、ステップＳ５０１〜ステップＳ５１２は、図１５のステップＳ３０１〜ステップＳ３１２にそれぞれ対応する。
【０１４１】
ステップＳ５１３において、画像ファイルデータに強調サムネイル画像データがある場合（ステップＳ５１３：Ｙｅｓ）、投稿サーバ６００は、ステップＳ５１５へ移行する。
【０１４２】
ステップＳ５１３において、画像ファイルデータに強調サムネイル画像データがない場合（ステップＳ５１３：Ｎｏ）、サムネイル画像生成部６０１ａは、画像ファイルデータの画像データに基づいて、強調サムネイル画像データを生成する（ステップＳ５１４）。具体的には、サムネイル画像生成部６０１ａは、画像ファイルデータに記録されたアート効果画像データを用いて、強調サムネイル画像データを生成する。ステップＳ５１４の後、投稿サーバ６００は、ステップＳ５１５へ移行する。
【０１４３】
ステップＳ５１５〜ステップＳ５２１は、図１５のステップＳ３１３〜ステップＳ３１９にそれぞれ対応する。
【０１４４】
以上説明した本発明の実施の形態３によれば、ネットワークＮおよび通信部２０１を介して撮像装置１００または外部機器３００のアクセスに応じた画像ファイルデータを送信する場合において、この画像ファイルデータに記録された画像データに特殊効果処理の設定が行われているとき、サムネイル画像生成部６０１ａが画像データに基づいて、強調サムネイル画像データを生成し、この強調サムネイル画像データをアクセスされたウェブサイトへ送信する。この結果、撮像装置１００または外部機器３００に強調サムネイル画像データを生成する機能がなくても、撮像装置１００または外部機器３００で強調サムネイル画像を表示することができる。
【０１４５】
（その他の実施の形態）
ここまで、本発明を実施するための形態を説明してきたが、本発明は上述した実施の形態によってのみ限定されるべきものではない。
【０１４６】
たとえば、本発明において、強調サムネイル画像に変えて、特殊効果処理が設定された画像データを所定の間隔で点滅（ブリンク表示）させることによって他のサムネイル画像と比べて強調させてもよい。もちろん、画像データをハイライト表示させることによって他のサムネイル画像と比べて強調させてもよい。
【０１４７】
また、本発明において、強調サムネイル画像に変えて、特殊効果処理が設定された画像データを所定の間隔で表示領域の大きさを変更することによって他のサムネイル画像と比べて強調させてもよい。
【０１４８】
また、本発明において、記録部に記録された複数の画像データにそれぞれ対応するサムネイル画像を表示部で一覧表示させる場合において、特殊効果処理が設定された画像データがあるとき、サムネイル画像生成部は、特殊効果処理が設定された画像データを用いて強調サムネイル画像を生成してもよい。これにより、特殊効果処理が施された画像データを複数の画像から容易に把握することができる。
【０１４９】
また、本発明において、サムネイル画像生成部が画像データに特殊効果処理が施されている場合に、強調サムネイル画像データを生成していたが、たとえば、ファーストレリーズ信号が入力されてから所定時間経過するまで、またはセカンドレリーズ信号が入力されるまでの操作結果に応じて、強調サムネイル画像データを生成してもよい。具体的には、サムネイル画像生成部は、ファーストレリーズ信号が入力されてから所定時間、たとえば５秒経過するまでに、ユーザによって撮像装置に行われた操作内容、たとえばピント位置の変更、焦点距離の変更または絞り値の変更に応じた内容を反映した強調サムネイル画像データを生成してもよい。この場合、サムネイル画像生成部は、撮像装置のピント位置の変更操作が行われたとき、ピント位置の変化の軌跡をサムネイル画像に重畳した強調サムネイル画像データを生成してもよい。また、サムネイル画像生成部は、撮像装置の焦点距離の変更操作が行われたとき、ファーストレリーズ信号から所定時間経過またはセカンドレリーズ信号が入力されるまでに連続的に生成された複数の画像データを用いて、複数のサムネイル画像データを時系列に沿って順次表示する動画の強調サムネイル画像データを生成してもよい。さらに、サムネイル画像生成部は、撮像装置の絞り値の変更操作が行われたとき、ファーストレリーズ信号から所定時間経過またはセカンドレリーズ信号が入力されるまでに連続的に生成された複数の画像データを用いて、複数のサムネイル画像データを時系列に沿って順次表示する動画の強調サムネイル画像データを生成してもよい。これにより、外部機器で表示される際に他のサムネイル画像に比して強調されるので、他のユーザから選択されやすくなる。
【０１５０】
また、本発明において、表示部とは別に電子ビューファインダを設け、この電子ビューファインダにおいて本発明を適用するようにしてもよい。この場合には、表示部と電子ビューファインダとでサムネイル画像の見え方が異なるようにすればより好ましい。
【０１５１】
また、本発明においては、光学系１０１ａが別体であっても適用することができる。
【０１５２】
また、本発明にかかる撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。
【０１５３】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１５４】
このように、本発明は、ここでは記載していない様々な実施の形態を含みうるものであり、特許請求の範囲によって特定される技術的思想の範囲内で種々の設計変更等を行うことが可能である。
【符号の説明】
【０１５５】
１，２  投稿システム
１００  撮像装置
１０１  撮像部
１０１ａ  光学系
１０１ｂ  撮像素子
１０１ｃ  信号処理部
１０２  画像処理部
１０２ａ  基本画像処理部
１０２ｂ  特殊効果画像処理部
１０３  入力部
１０３ａ  電源スイッチ
１０３ｂ  レリーズスイッチ
１０３ｃ  操作スイッチ
１０４  表示部
１０５  タッチパネル
１０６  時計
１０７  画像圧縮展開部
１０８  記録部
１０８ａ  プログラム記録部
１０８ｂ  特殊効果処理情報記録部
１０８ｃ  画像データ記録部
１０８ｄ  設定情報記録部
１０９，２０１  通信部
１１０  制御部
１１０ａ  サムネイル画像生成部
１１０ｂ  撮像制御部
１１０ｃ  表示制御部
２００，６００  投稿サーバ
２０２  画像データベース
２０３，６０１  サーバ制御部
３００，４００，５００  外部機器
６０１ａ  サムネイル画像生成部
Ｎ  ネットワーク
Ｆ  画像ファイルデータ
【図１】
2014131238.tif 000003
【図２】
2014131238.tif 000004
【図３】
2014131238.tif 000005
【図４】
2014131238.tif 000006
【図５】
2014131238.tif 000007
【図６】
2014131238.tif 000008
【図７】
2014131238.tif 000009
【図８】
2014131238.tif 000010
【図９】
2014131238.tif 000011
【図１０】
2014131238.tif 000012
【図１１】
2014131238.tif 000013
【図１２】
2014131238.tif 000014
【図１３】
2014131238.tif 000015
【図１４】
2014131238.tif 000016
【図１５】
2014131238.tif 000017
【図１６】
2014131238.tif 000018
【図１７】
2014131238.tif 000019
【図１８】
2014131238.tif 000020
【図１９】
2014131238.tif 000021
【図２０】
2014131238.tif 000022
【図２１】
2014131238.tif 000023